(57)【特許請求の範囲】
【請求項１】
無線通信ネットワーク（２０）において動作する無線デバイス（２２）において、二つ以上の周波数レイヤーについてインター周波数測定を実行する方法（５００）であって、前記方法（５００）は、
前記無線通信ネットワーク（２０）におけるノード（８０）から測定コンフィギュレーション情報を受信することであって、前記測定コンフィギュレーション情報は第一の周波数レイヤー上でインター周波数測定を実行するための信号対干渉雑音比（ＳＩＮＲ）の第一セル検出強度閾値に基づく第一の性能要件と、第二の周波数レイヤー上でインター周波数測定を実行するための、ＳＩＮＲの第二セル検出強度閾値に基づく異なる第二の性能要件を示す、こと（５０２）と、
前記第一および第二の性能要件にそれぞれ基づいて、単位時間あたりの測定ギャップの数である第一および第二の測定レートを決定すること（５０４）と、
前記第一および第二の測定レートにそれぞれ比例して、前記第一および第二の周波数レイヤー上でインター周波数測定を実行するための測定ギャップを割り当てること（５０６）と、
前記割り当てられたそれぞれの測定ギャップにおいて前記第一および第二の周波数レイヤー上でインター周波数測定を実行すること（５０８）とを有し、
前記第一の性能要件は前記第二の性能要件よりも厳しく、前記方法（５００）は、前記第二の周波数レイヤーと比較して前記第一の周波数レイヤーについて相対的により多くインター周波数測定が実行されるよう前記第二の測定レートよりも高く前記第一の測定レートを設定することを有する、方法（５００）。
【請求項２】
前記第一および第二の性能要件は第一および第二のセル検出時間をそれぞれ定義しているか、あるいは、前記第一および第二のセル検出時間をそれぞれから導出可能な第一および第二のセル検出強度を定義している、請求項１に記載の方法（５００）。
【請求項３】
事前に定義された性能要件のいくつかは前記無線デバイス（２２）に既知であり、前記方法（５００）は、前記測定コンフィギュレーション情報によって搬送された一つ以上のインジケータに基づいて前記第一および第二の性能要件として使用される事前に定義された性能要件がどれであるかを決定することを有する、請求項１または２に記載の方法（５００）。
【請求項４】
前記測定ギャップを割り当てることは、前記第一の周波数レイヤー上でインター周波数測定を実行するために、設定された複数の測定ギャップのうちから第一のパーセンテージの測定ギャップを割り当てることと、前記第二の周波数レイヤー上でインター周波数測定を実行するために、前記設定された複数の測定ギャップのうちから第二のパーセンテージの測定ギャップを割り当てることとを有し、前記第一および第二のパーセンテージは前記第一および第二の測定レートに比例している、請求項１ないし３のいずれか一項に記載の方法（５００）。
【請求項５】
前記方法（５００）は、前記第一および第二の性能要件を含むいくつかの異なる性能要件にしたがって、前記第一および第二の周波数レイヤーを含むいくつかの周波数レイヤー上でインター周波数測定を実行することを有し、前記方法は、各周波数レイヤーについて示されている対応する性能要件に基づいて当該各周波数レイヤーについて使用される前記測定レートを決定することを有する、請求項１ないし４のいずれか一項に記載の方法（５００）。
【請求項６】
同一の性能要件を有する周波数レイヤーに対して同一の測定レートを使用することをさらに有する、請求項５に記載の方法（５００）。
【請求項７】
隣接または近接した周波数バンドにおける周波数レイヤーについてのインター周波数測定が一緒にグループ化されるか、または、同一の無線アクセス技術（ＲＡＴ）における周波数レイヤーについてのインター周波数測定が一緒にグループ化されるように、周波数値とＲＡＴとの少なくとも一つによってインター周波数測定をグループ化することをさらに有する、請求項５に記載の方法（５００）。
【請求項８】
前記第一および第二の周波数レイヤーはそれぞれ異なる無線アクセス技術（ＲＡＴ）のものである、請求項１ないし７のいずれか一項に記載の方法（５００）。
【請求項９】
前記第一および第二の周波数レイヤーは同一の無線アクセス技術（ＲＡＴ）のものである、請求項１ないし７のいずれか一項に記載の方法（５００）。
【請求項１０】
無線通信ネットワーク（２０）において動作している間に二つ以上の周波数レイヤーに関してインター周波数測定を実行するように構成されている無線デバイス（２２）であって、前記無線デバイス（２２）は、
前記無線通信ネットワーク（２０）へ信号を送信し、前記無線通信ネットワーク（２０）から信号を受信するように構成された通信装置（５２）と、
前記通信装置（５２）と関連して動作する一つ以上の処理回路（６０）であって、
前記無線通信ネットワーク（２０）におけるノード（８０）から測定コンフィギュレーション情報を受信し、前記測定コンフィギュレーション情報は第一の周波数レイヤー上でインター周波数測定を実行するためのＳＩＮＲの第一セル検出強度閾値に基づく第一の性能要件と、第二の周波数レイヤー上でインター周波数測定を実行するための、ＳＩＮＲの第二セル検出強度閾値に基づく異なる第二の性能要件とを示しており、
前記第一および第二の性能要件にそれぞれ基づいて、単位時間あたりの測定ギャップの数である第一および第二の測定レートを決定し、
前記第一および第二の測定レートにそれぞれ比例して、前記第一および第二の周波数レイヤー上でインター周波数測定を実行するための測定ギャップを割り当て、
前記割り当てられたそれぞれの測定ギャップにおいて前記第一および第二の周波数レイヤー上でインター周波数測定を実行する、ように構成された一つ以上の処理回路（６０）と、を有し、
前記第一の性能要件は前記第二の性能要件よりも厳しく、前記一つ以上の処理回路（６０）は、前記第二の周波数レイヤーと比較して前記第一の周波数レイヤーについて相対的により多くインター周波数測定が実行されるよう前記第二の測定レートよりも高く前記第一の測定レートを設定するように構成されている、無線デバイス（２２）。
【請求項１１】
前記第一および第二の性能要件はそれぞれ第一および第二のセル検出時間を定義しているか、あるいは、前記第一および第二のセル検出時間をそれぞれから導出可能な第一および第二のセル検出強度を定義している、請求項１０に記載の無線デバイス（２２）。
【請求項１２】
事前に定義された性能要件のいくつかは前記無線デバイス（２２）に既知であり、前記一つ以上の処理回路（６０）は、前記測定コンフィギュレーション情報によって搬送された一つ以上のインジケータに基づいて前記第一および第二の性能要件として使用される事前に定義された性能要件がどれであるかを決定するように構成されている、請求項１０または１１に記載の無線デバイス（２２）。
【請求項１３】
前記一つ以上の処理回路（６０）は、前記第一の周波数レイヤー上でインター周波数測定を実行するために、設定された複数の測定ギャップのうちから第一のパーセンテージの測定ギャップを割り当て、前記第二の周波数レイヤー上でインター周波数測定を実行するために、前記設定された複数の測定ギャップのうちから第二のパーセンテージの測定ギャップを割り当てるように構成されており、前記第一および第二のパーセンテージは前記第一および第二の測定レートに比例している、請求項１０ないし１２のいずれか一項に記載の無線デバイス（２２）。
【請求項１４】
前記一つ以上の処理回路（６０）は、前記第一および第二の性能要件を含むいくつかの異なる性能要件にしたがって、前記第一および第二の周波数レイヤーを含むいくつかの周波数レイヤー上でインター周波数測定を実行するように構成されており、前記一つ以上の処理回路（６０）は、各周波数レイヤーについて示されている対応する性能要件に基づいて当該各周波数レイヤーについて使用される前記測定レートを決定するように構成され、
前記一つ以上の処理回路（６０）は同一の性能要件を有する周波数レイヤーについて同一の測定レートを使用するように構成されている、請求項１０ないし１３のいずれか一項に記載の無線デバイス（２２）。
【請求項１５】
前記一つ以上の処理回路（６０）は、隣接または近接した周波数バンドにおける周波数レイヤーについてのインター周波数測定が一緒にグループ化されるか、または、同一の無線アクセス技術（ＲＡＴ）における周波数レイヤーについてのインター周波数測定が一緒にグループ化されるように、周波数値とＲＡＴとの少なくとも一つによってインター周波数測定をグループ化するように構成されている、請求項１４に記載の無線デバイス（２２）。
【請求項１６】
前記第一および第二の周波数レイヤーはそれぞれ異なる無線アクセス技術（ＲＡＴ）のものである、請求項１０ないし１５のいずれか一項に記載の無線デバイス（２２）。
【請求項１７】
前記第一および第二の周波数レイヤーは同一の無線アクセス技術（ＲＡＴ）のものである、請求項１０ないし１５のいずれか一項に記載の無線デバイス（２２）。
【請求項１８】
無線通信ネットワーク（２０）において動作するように構成されたネットワークノード（８０）における方法（７００）であって、前記方法（７００）は、
第一の周波数レイヤー上でインター周波数測定を実行するためのＳＩＮＲの第一セル検出強度閾値に基づく第一の性能要件と、第二の周波数レイヤー上でインター周波数測定を実行するためのＳＩＮＲの第二セル検出強度閾値に基づく第二の性能要件とを決定すること（７０２）と、
前記第一および第二の周波数レイヤーのための前記第一および第二の性能要件を示す測定コンフィギュレーション情報を生成すること（７０４）と、
前記第一の周波数レイヤー上でインター周波数測定を実行するために前記第一の性能要件を使用し、前記第二の周波数レイヤー上でインター周波数測定を実行するために前記第二の性能要件を使用するよう前記無線通信ネットワークにおいて動作しているターゲットとなる無線デバイス（２２）を設定するために、前記ターゲットとなる無線デバイス（２２）に測定コンフィギュレーション情報を送信すること（７０６）と、を有し、
前記第一および第二の性能要件を決定すること（７０２）は、前記第一の周波数レイヤーがカバレッジ関連のものである搬送波に関連付けられており、前記第二の周波数レイヤーがキャパシティ関連のものである搬送波に関連付けられていることに基づき、前記第一の周波数レイヤーについてより厳しい性能要件を設定または選択し、前記第二の周波数レイヤーについてより厳しくない性能要件を設定または選択することを有する、方法（７００）。
【請求項１９】
インター周波数測定を実行するよう前記ターゲットとなる無線デバイス（２２）をトリガーすることをさらに有する、請求項１８に記載の方法（７００）。
【請求項２０】
前記ターゲットとなる無線デバイス（２２）に対して前記測定コンフィギュレーション情報を送信することは、前記第一および第二周波数レイヤーについての前記第一および第二の性能要件を示す一つ以上のインジケータを含む測定コンフィギュレーションメッセージを前記ターゲットとなる無線デバイス（２２）に対して送信することを有する、請求項１８または１９に記載の方法（７００）。
【請求項２１】
前記測定コンフィギュレーション情報は、いくつかの事前に定義された性能要件に対する既知のマッピングを有する一つ以上のインジケータを搬送することによって前記第一および第二の性能要件を示す、請求項１８ないし２０のいずれか一項に記載の方法（７００）。
【請求項２２】
前記測定コンフィギュレーション情報は、前記第一および第二の周波数レイヤーを含み、前記ターゲットとなる無線デバイス（２２）がインター周波数測定を実行することになるいくつかの周波数レイヤーを前記ターゲットとなる無線デバイス（２２）に示すとともに、そのような周波数レイヤーのそれぞれでインター周波数測定を実行するために前記ターゲットとなる無線デバイス（２２）によって使用される対応する性能要件を示す、請求項１８ないし２１のいずれか一項に記載の方法（７００）。
【請求項２３】
無線通信ネットワーク（２０）において動作するように構成されたネットワークノード（８０）であって、前記ネットワークノード（８０）は、
ターゲットとなる無線デバイス（２２）に対してシグナリングを送信するための通信インタフェース（８２）と、
前記通信インタフェース（８２）と関連して動作する一つ以上の処理回路（８４）であって、
第一の周波数レイヤー上でインター周波数測定を実行するためのＳＩＮＲの第一セル検出強度閾値に基づく第一の性能要件と、第二の周波数レイヤー上でインター周波数測定を実行するためのＳＩＮＲの第二セル検出強度閾値に基づく第二の性能要件とを決定し
前記第一および第二の周波数レイヤーのための前記第一および第二の性能要件を示す測定コンフィギュレーション情報を生成し、
前記第一の周波数レイヤー上でインター周波数測定を実行するために前記第一の性能要件を使用し、前記第二の周波数レイヤー上でインター周波数測定を実行するために前記第二の性能要件を使用するよう前記無線通信ネットワーク（２０）において動作しているターゲットとなる無線デバイス（２２）を設定するために、前記ターゲットとなる無線デバイス（２２）に前記測定コンフィギュレーション情報を送信する、ように構成されている一つ以上の処理回路（８４）と、を有し、
前記一つ以上の処理回路（８４）は、前記第一の周波数レイヤーがカバレッジ関連の搬送波に関連付けられており、前記第二の周波数レイヤーがキャパシティ関連の搬送波に関連付けられていることに基づき、前記第一の周波数レイヤーについてより厳しい性能要件を設定または選択し、前記第二の周波数レイヤーについてより厳しくない性能要件を設定または選択するように構成されることに基づいて、前記第一および第二の性能要件を決定するように構成されている、ネットワークノード（８０）。
【請求項２４】
前記一つ以上の処理回路（８４）はインター周波数測定を実行するよう前記ターゲットとなる無線デバイス（２２）をトリガーするように構成されている、請求項２３に記載のネットワークノード（８０）。
【請求項２５】
前記一つ以上の処理回路（８４）は、前記第一および第二周波数レイヤーについての前記第一および第二の性能要件を示す一つ以上のインジケータを含む測定コンフィギュレーションメッセージを前記ターゲットとなる無線デバイス（２２）に対して送信するように構成されていることに基づき、前記ターゲットとなる無線デバイス（２２）に対して前記測定コンフィギュレーション情報を送信するように構成されている、請求項２３または２４に記載のネットワークノード（８０）。
【請求項２６】
前記測定コンフィギュレーション情報は、いくつかの事前に定義された性能要件に対する既知のマッピングを有する一つ以上のインジケータを搬送することによって前記第一および第二の性能要件を示す、請求項２３ないし２５のいずれか一項に記載のネットワークノード（８０）。
【請求項２７】
前記測定コンフィギュレーション情報は、前記第一および第二の周波数レイヤーを含み、前記ターゲットとなる無線デバイス（２２）がインター周波数測定を実行することになるいくつかの周波数レイヤーを前記ターゲットとなる無線デバイス（２２）に示すとともに、そのような周波数レイヤーのそれぞれでインター周波数測定を実行するために前記ターゲットとなる無線デバイス（２２）によって使用される対応する性能要件を示す、請求項２３ないし２６のいずれか一項に記載のネットワークノード（８０）。
【発明の詳細な説明】
【技術分野】
【０００１】
本願は一般に無線通信ネットワークに関連し、とりわけそのようなネットワークにおいてインター周波数測定を設定および実行することに関連する。
【背景技術】
【０００２】
今日の典型的な通信事業者は異なる搬送波周波数上で同時並行的に運用されているＧＳＭ、ＷＣＤＭＡ（登録商標）／ＨＳＰＡおよびＬＴＥのキャリア（搬送波）を有しているかもしれない。しかし、これらの異なる無線アクセス技術、ＲＡＴ、とそれ対応する搬送波は異なる地理的カバレッジを有しうる。たとえば、ＬＴＥは都会エリアでだけで展開され、それに対してＧＳＭ（登録商標）やＨＳＰＡのカバレッジは都会と郊外地域との両方で展開されているかもしれない。
【０００３】
さらに、ＬＴＥについては３ＧＰＰ規格において４０個を超える周波数バンドが規定されており、これらのほとんどは広く利用可能な周波数バンドではない場合であっても、近い将来において通信事業者はＬＴＥを複数の搬送波周波数上で展開するかもれしない。カバレッジのために一つまたは二つの搬送波が使用されるかもしれず、つまりこれはマクロセルにおいて展開され、一方で、残りの搬送波はホットスポットやピコセルのカバレッジのために利用されることもあろう。この展開シナリオは、とりわけ、追加の周波数レイヤー上のいくつかのＬＴＥ搬送波が展開されうる都会エリアにおいて適用可能であり、これにより高いキャパシティ要求を実現するためにホットスポットが提供される。
【０００４】
図１は上記のシナリオの一例を示している。当該図において無線通信ネットワーク１０は第一の搬送波ｆ０上で展開されるいくつかの大きなマクロセル１２を有している。例示として、当該図は少なくとも一部がオーバラップしているマクロで大きなカバレッジエリアを有する、マクロセル１２−１、１２−２を示している。それぞれ搬送波周波数ｆ１、ｆ２、ｆ３およびｆ４のうちの一つを使用する、いくつかのホットスポットまたはピコセル１４も見られる。例示として、搬送波ｆ１上ではホットスポット１４−１ないし１４−４が見られ、搬送波ｆ２上ではホットスポット１４−５ないし１４−８が見られ、搬送波ｆ３上ではホットスポット１４−９ないし１４−１２が見られ、搬送波ｆ４上ではホットスポット１４−１３ないし１４−１５が見られる。
【０００５】
いくつかのホットスポットの搬送波は同一のカバレッジエリア内で展開されてもよい。つまり、一つのホットスポット搬送波上で動作している所与のスポット１４は他の一つのホットスポット搬送波上で動作している他のホットスポットと、地理的にオーバラップしていてもよい。たとえば、所与のカバレッジエリアにおいて搬送波ｆ１、ｆ２を介したホットスポットカバレッジがオーバラップしており、その一方で他のカバレッジエリアにおいて搬送波ｆ３、ｆ４が同一のまたはオーバラップしたホットスポットサービスを提供してもよい。
【０００６】
図１の例において示されているような展開において複数の搬送波の使用を最適化するために、ネットワーク１０において動作する無線通信デバイスはインター周波数測定（周波数間測定）を実行することに基づいて搬送波を監視することが必要とされる。これらのインター周波数測定を実行することに基づいて、デバイスは、個々の搬送波上で検出されたセルについての信号強度を、ネットワーク１０におけるサポーティング基地局などの、ネットワーク、ＮＷ、ノードに対して報告する。ＮＷノードはサービング（在圏）搬送波および在圏セルであるベストな搬送波およびセルに対する当該デバイスのハンドオーバ、ＨＯ、を開始する。
【０００７】
しかし、典型的なローエンドのデバイスは、一つの受信機を装備しているだけであり、同時並行して異なる搬送波周波数を受信することができない。よって、このようなデバイスは、他の搬送波周波数の測定を実行するために、所与の搬送波周波数上でのデータ受信を中断する必要がある。このような測定は、他の搬送波周波数上での測定を実行するために指定され、設定された測定ギャップを使用して実行される。３ＧＰＰ技術規格ＴＳ３６．３００は、当該デバイスが他のセルからの送信を受信できるようにするために、在圏セルについて受信機と送信機とをスイッチオフする期間である、測定ギャップに関する例示的な詳細を含んでいる。在圏基地局は当該デバイスがいつインター周波数測定を実行するかを把握していなければならないため、これらのギャップは当該デバイスの在圏基地局に対して同期している。知られているように、無線リソース制御、ＲＲＣ、シグナリングは当該デバイスによって使用されるギャップ期間を設定するために使用されている。
【０００８】
図２はＬＴＥに実装されている測定ギャップの原理を示している。６ミリ秒のギャップは４０ミリ秒または８０ミリ秒ごとに配置されており、このギャップごとに一度インター周波数測定がトリガーされる。６ミリ秒のギャップは、当該デバイスに対して、ＬＴＥのインター周波数測定における同期信号および共通基準信号、ＣＲＳ、を発見したり、または、たとえば、ＷＣＤＭＡ／ＨＳＰＡ上でインター周波数測定をデバイスが実行するような、インターＲＡＴ測定における同種の信号を発見したりすることを可能にする。ギャップの長さは切り替え時間が考慮されている。
【０００９】
ＬＴＥの初期のリリースでは同一ＲＡＴ内や異なるＲＡＴをまたいだインター周波数測定は、たとえば、相対的に限られたＬＴＥカバレッジエリアからデバイスが出て行ってしまうことなど、デバイスがカバレッジエリアの外に出て行ってしまう問題に着目して主に利用されていた。ＬＴＥカバレッジが非常に限られており、その拡大に時間がかかっていた、ＬＴＥ展開の初期において、この問題はより大きなものであった。たとえば、都会エリアは他の一つ以上のＲＡＴのカバレッジに沿ったＬＴＥカバレッジを有しうるが、ＬＴＥのカバレッジは都会エリアの境界またはその付近で終わっていた。そのようなケースでは、デバイスがＬＴＥカバレッジの限界に近づくことでインター周波数測定がトリガーされ、デバイスはＬＴＥカバレッジを逸脱する前にインター周波数測定を開始し、最終的にはＬＴＥからＧＳＭまたはＷＣＤＭＡへのハンドオーバが実行される。このような場合、インター周波数測定は必要になったときにのみトリガーされ、測定ギャップやそれに対応するインター周波数測定は実際に必要とされるときにのみ使用されるが、これは測定ギャップが利用可能な最大スループットを減少させ、データスケジューリングをより複雑にしてしまうからである。
【００１０】
たとえば、データスケジューリングを担当しているネットワークノードはハイブリッド自動再送要求、ＨＡＲＱ、のラウンドトリップ時間を考慮に入れる必要があり、よって、一例としてＬＴＥタイミングを使用することで、インター周波数測定を使用するデバイスに現実的なスケジューリングギャップは１０ミリ秒であり、これは６ミリ秒のギャップ時間に４ミリ秒のＨＡＲＱラウンドトリップ時間が加算されることに基づく。測定ギャップ間が４０ミリ秒であるケースでは、このタイミングは２５％のスループットロス／スケジューリング時間のロスに置き換えられる。
【００１１】
さらに詳細には、デバイスはいくつかの周波数搬送波を監視してもよく、これは周波数レイヤーと理解されてもよい。３ＧＰＰ規格のリリース１１によれば、デバイスの能力に応じて、ＬＴＥ  ＴＤＤ／ＦＤＤ、ＷＣＤＭＡ、ＧＳＭなどを含む７つの異なる周波数レイヤーまで測定することができる。各周波数レイヤーは当該レイヤー上のセルの検出と検証にある程度の無線時間を必要とし、現時点の３ＧＰＰ規格はドップラーおよび遅延スプレッドだけでなく、当該レイヤー上のセルについての信号対雑音比（ＳＮＲ）の要件についてワーストケースに基づいている。
【００１２】
さらに、上述したように、ギャップ測定要件は主にカバレッジ問題をターゲットにしている。したがって、インター周波数測定に関するこの要件は、現在の搬送波周波数上でのカバレッジを逸脱する前に信頼性の高いＨＯが実行されることを確かにするために、より弱い他の搬送波周波数上のセルを検出したことに基づいている。たとえば、３ＧＰＰ  ＴＳ  ３６．１３３のセクション８．１．２．１．１．１によれば、セルを探索するための現在の測定要件は、３．８４＊Ｎｆｒｅｑ秒程度であり、ここでＮｆｒｅｑは測定を必要とされるレイヤーの数を示しており、検出は、たとえばＥｓ／ｌｏｔ＝−４ｄＢといった弱い信号の検出を対象としている。したがって、図１において例示したようにいくつかのレイヤーを設けることは、規格上の観点から、デバイスがＨＯのための適切なセルを発見するためにギャップモードにおいて数十秒を必要とすることを暗示している。この時間はキャパシティ減少や他の考慮の観点から問題である。
【００１３】
このような問題の知られた軽減策によれば、デバイスは、莫大な数の利用可能な周波数レイヤーのうちで、たとえばたった二つの周波数レイヤーなど、周波数レイヤーのサブセットについてだけ測定を実行するように構成されうる。しかし、この軽減策は、いくつかの観点から複雑なものである。たとえば、ネットワークは、通常、デバイスに監視されるために最も適切なまたは使用可能な周波数のサブセットがどれであるかを知らない。たとえば、２ＧＨｚないし３ＧＨｚにおいて運用されている搬送波では、デバイスの位置がたった数メートルだけ違うことで、デバイスがキャンプオンする上でｆ１、ｆ２およびｆ３のうちでどれが好ましい周波数であるかが変化してしまう。
【発明の概要】
【００１４】
ここでの教示の一つの観点によれば、無線通信ネットワークにおいて動作している無線デバイスは、所与の周波数レイヤーのために指定されている性能要件に基づいて、当該レイヤー上でインター周波数測定を実行するために使用される測定レートを決定する。たとえば、無線デバイスは、インター周波数測定を実行するレイヤーのうちの他の一つについて指定されている性能要件よりも高い性能要件を有する周波数レイヤーについてより高い測定レートを使用する。同様に、例示的なシナリオによれば、ネットワークノードは、ターゲットとなるデバイスに対してコンフィギュレーション情報（設定情報）を送信し、ここで当該情報は当該デバイスがインター周波数測定を実行すべきレイヤーを示し、かつ、これらのレイヤーの一つ一つに対応する性能要件を示している。一例として、ネットワークノードは基地局、リレー無線デバイスまたは他の無線デバイスであってもよい。
【００１５】
例示的な実施形態によれば、３ＧＰＰのユーザ装置、ＵＥ、などの無線デバイスは、二つ以上の周波数レイヤーに関してインター周波数測定を実行するための方法を実行するように構成されている。当該方法は、無線通信ネットワークにおけるノードから測定コンフィギュレーション情報を受信することを含み、ここで当該測定コンフィギュレーション情報は第一の周波数レイヤー上でインター周波数測定を実行するための第一の性能要件を示し、かつ、第二の周波数レイヤー上でインター周波数測定を実行するための、異なる第二の性能要件を示している。本方法は、さらに、第一および第二の性能要件にそれぞれ基づき第一および第二の測定レートを決定することと、第一および第二の測定レートに比例して、第一および第二の周波数レイヤー上でそれぞれインター周波数測定を実行するための測定ギャップを割り当てることと、それぞれ割り当てられた測定ギャップにおいて第一および第二の周波数レイヤー上でインター周波数測定を実行することとを有する。
【００１６】
ネットワーク側の処理に関与する対応する例示的な実施形態によれば、ネットワークノードは、無線通信ネットワークにおいて動作するように構成されており、第一の周波数レイヤー上でインター周波数測定を実行するための第一の性能要件と、第二の周波数レイヤー上でインター周波数測定を実行するための第二の性能要件とを決定することを有する方法を実行する。本方法は、さらに、それぞれ第一および第二の周波数レイヤーのための第一および第二の性能要件を示す測定コンフィギュレーション情報を生成することを有する。本方法にしたがった処理は、さらに、無線通信ネットワークにおいて動作しているターゲットとなる無線デバイスに、測定コンフィギュレーション情報を送信することを有し、これにより、無線デバイスが第一の周波数レイヤー上でインター周波数測定を実行するために第一の性能要件を使用し、第二の周波数レイヤー上でインター周波数測定を実行するために第二の性能要件を使用するように設定される。
【００１７】
もちろん、本発明は上記の特徴や利点にのみ限定されることはない。また、当業者であれば以下の詳細な説明を読み、添付の図面を見ることで追加の特徴や利点を理解するであろう。
【図面の簡単な説明】
【００１８】
【図１】異種無線通信ネットワークのための既知の構成を示す図。
【図２】設定された測定ギャップを使用してインター周波数測定を実行するための既知の構成を示す図。
【図３】ここでの教示に従って構成されたネットワークノードを含む無線通信ネットワークの例示的な実施形態を示す図。
【図４】図３において導入された一つのような無線デバイスの例示的な実施形態を示す図。
【図５】無線デバイスにおいてインター周波数測定を実行する方法の例示的な実施形態を示す図。
【図６】図３に示した例示的なネットワークにおける基地局、リレーノードまたは他の無線デバイスなどのネットワークノードの例示的な実施形態を示す図。
【図７】ターゲットとなる無線デバイスについてインター周波数測定を設定するための、ネットワークノードにおける方法の例示的な実施形態を示す論理的なフローを示す図。
【図８】信号強度に依拠した例示的なセル検出時間のプロットを示す図。
【図９】対応する性能要件に比例した異なる周波数レイヤー上でのインター周波数測定のための測定ギャップの割り当てを示す図。
【図１０】無線デバイスにおけるインター周波数測定を実行する他の例示的な実施形態を示す図。
【発明を実施するための形態】
【００１９】
図３は典型的なＬＴＥネットワークにおける用語と構成とを使用して例示的に記述された無線通信ネットワーク２０の一つの実施形態を示している。ネットワーク２０はインターネットまたは他のパケットデータネットワーク、ＰＤＮ、などの一つ以上の外部ネットワーク２４と通信可能なように無線デバイス２２を接続している。
【００２０】
ネットワーク２０は無線アクセスネットワーク、ＲＡＮ、２６およびコアネットワーク、ＣＮ、２８を有する。図示したＬＴＥの実施形態については、ＲＡＮ２６は、進化型ユニバーサル地上無線アクセスネットワークまたはＵ−ＵＴＲＡＮを含み、ＣＮ２８は進化型パケットコアまたはＥＰＣを含む。この例によれば、ＲＡＮ２６はＬＴＥの内容に沿って、「ｅＮＢ」または「ｅＮｏｄｅＢ」３２として図示された対応する基地局によって制御されるいくつかのセル３０においてサービスを提供する。例示的なＬＴＥの内容に沿って、ＣＮ２８は、移動管理エンティティ、ＭＭＥ、３４と、ホーム加入者サーバ、ＨＳＳ、３６と、一つ以上のサービングゲートウェイ、ＳＧＷ、３８−１、３８−２と、ＣＮ２８と外部ネットワーク２４との間にあるパケットインタフェース、ＳＧｉにあるパケットゲートウェイ、ＰＧＷ、４０とを含む。
【００２１】
ネットワーク２０のある種の観点は、説明目的のために簡単化されており、実際の実装では他の複数のエンティティおよび／または実際の実装に応じて変化しうるこれらの間にはある種のエンティティまたはコネクションが設けられうる。さらに、所与のネットワーク実装は、同様の機能を提供するために他の用語またはエンティティ配置を使用してもよく、ここでの教示は図３に示した例示的なネットワーク配置にのみ限定されるわけではない。
【００２２】
一般に、各ｅＮｏｄｅＢ３２は、例示目的でセル３０−１ないし３０−３として示した一つ以上のセル３０においてサービスを提供する。より具体的には、当該図は一つ以上のｅＮｏｄｅＢ３２が異なる搬送波周波数または周波数バンド／サブバンドを使用して複数のセルを提供してもよいことを示している。例示として、図示された一つ以上のｅＮｏｄｅＢ３２が周波数ｆ１、ｆ２、ｆ３上の搬送波を使用するが、これはそのような周波数のそれぞれで対応する一つ以上のセル３０が存在することを意味している。たとえば、所与のｅＮｏｄｅＢ３２は三つのセル３０を提供してもよく、そのようなセル３０のそれぞれは搬送波周波数ｆ１、ｆ２、ｆ３のうちの個別の一つにおいて動作しよう。さらに一般的には、所与のｅＮｏｄｅＢ３２はいずれかの数のセル３０を提供し、そのような各セル３０はそれぞれ異なる搬送波周波数上で動作し、それゆえに異なる周波数レイヤーに属していてもよい。
【００２３】
もちろん、他の構成も可能であり、たとえば、図１に示したような異種ネットワーク構成など、ＲＡＮ２６においてマクロ基地局とマイクロ基地局とが混在していてもよい。複数のＲＡＮが重畳配置されていてもよく、すなわち、各ＲＡＴが特定のＲＡＴにしたがって動作することでセルを提供するように異なるＲＡＴが重畳配置されていてもよい。より広い意味の用語によれば、ネットワーク２０の地理的なカバレッジエリア内での一つ以上の位置において、所与の無線デバイス２０は、複数の周波数レイヤーの個々の一つ上での一つ以上のセルと見られてもよく、ここで「周波数レイヤー」は特定の搬送波周波数または周波数バンドを指しており、また、異なる周波数レイヤーは同一のＲＡＴに属していてもよいし、異なる複数のＲＡＴに属していてもよい。
【００２４】
図４は図３において紹介された無線デバイス２０についての例示的な構成を示しており、ここで無線デバイス２０は一つ以上のアンテナ５０と、対応する通信装置５２とを有し、これはさらにアンテナインタフェース回路５４と、送信機回路５６と、受信機回路５８とを有している。図示された送信機回路５６はサポートしているタイプの無線通信ネットワークの一つ以上において動作するように構成された完全な送信機として理解されてもよく、同様に、図示された受信機回路５８はそのような同一のネットワークにおいて動作するように構成された完全な受信機として理解されてもよい。しかし、送信と受信の処理の観点は、図示された制御および処理回路６０において実行されてもよく、これらは単に「一つ以上の処理回路６０」または「処理回路６０」として呼ばれてもよい。
【００２５】
もちろん、ある実施形態では、図示された送信機回路５６と受信機回路５８の代わりにある種のアナログで他の送信／受信、ＴＸ／ＲＸ回路が実装されてもよく、処理回路６０内にベースバンドデジタルＴＸ／ＲＸ処理が実装されてもよい。処理回路６０は、ここでの教示に従ったインターＲＡＴ測定を含むインター周波数測定を実行するように構成された、一つ以上のマイクロプロセッサ、マイクロコントローラ、ＤＳＰ、ＦＰＧＡ、ＡＳＩＣまたは他のデジタル処理回路を含んでもよい。
【００２６】
一つの例示によれば、処理回路６０は、少なくとも機能的に、たとえば、測定ギャップ設定にしたがってインター周波数測定を制御する測定制御回路６２を含む。処理回路６０は、また、たとえば、異なる周波数レイヤーで信号品質測定または信号強度測定を実行するなど、インター周波数測定を実行するための測定回路６４を含んでいてもよい。測定回路６４は、また、たとえば、アナログ信号測定が実行される限りにおいては、通信装置５２に少なくとも部分的に実装されていてもよい。
【００２７】
例示された無線デバイス２２は、メモリ／記憶装置６６を含み、これはコンピュータ可読媒体のタイプの一つ以上を含み、一つ以上の実施形態によれば、ＦＬＡＳＨやＥＥＰＲＯＭなどの不揮発性メモリを含む。メモリ／記憶装置６６は、少なくとも一つの実施形態において、コンピュータプログラム６８を記憶する。少なくとも一つの実施形態によれば、処理回路６０は、ここで教示されるインター周波数測定の制御および処理を実行するように構成され、これは少なくとも部分的にコンピュータプログラム６８を含むコンピュータプログラムインストラクションの実行に基づいていてもよい。
【００２８】
いくつかの実施形態によれば、メモリ／記憶装置６６はさらにコンフィギュレーション情報７０を記憶し、少なくともいくつかの実施形態によれば無線デバイス２２は追加的な処理回路および／またはインターフェース回路７２を含む。そのような回路は、たとえば、アプリケーションプロセッサやユーザインターフェース回路などを含む。コンフィギュレーション情報７０は、たとえば、インジケータ値とそれに対応する性能要件との間のマッピングを含んでもよく、たとえば無線デバイス２２に送信されたコンフィギュレーション情報に含まれていた対応するインジケータを周波数レイヤーに関連づけることによって、所与の周波数レイヤーについての性能要件が無線デバイス２２によって識別されてもよい。
【００２９】
これらの実装の詳細とは無関係に、無線デバイス２０は、たとえば、ネットワーク２０内で動作する一方で、無線通信ネットワークにおいて動作している間に二つ以上の周波数レイヤーに関してインター周波数測定を実行するように構成されている。無線デバイス２２は上述した通信装置５２と、一つ以上の処理回路６０とを有し、ここで通信装置５２はネットワーク２０に対して信号を送信し、ネットワーク２０から信号を受信するように構成されている。
【００３０】
さらに、一つ以上の処理回路６０は、ネットワーク２０内のノードから測定コンフィギュレーション情報を受信するように構成されている。たとえば、ノードはサービング基地局、リレーデバイスまたは他のデバイス２２であってもよい。測定コンフィギュレーション情報は、第一の周波数レイヤーでインター周波数測定を実行するための第一の性能要件と、これとは異なる、第二の周波数レイヤーでインター周波数測定を実行するための第二の性能要件とを示し、一つ以上の処理回路６０は、これに応じて、第一の性能要件に基づいて第一の測定レートを決定し、第二の性能要件に基づいて第二の測定レートを決定し、第一の測定レートに比例して第一の周波数レイヤーでインター周波数測定を実行するための測定ギャップを割り当て、第二の測定レートに比例して第二の周波数レイヤーでインター周波数測定を実行するための測定ギャップを割り当てるように構成されている。このような割り当てに基づいて、一つ以上の処理回路６０は、第一の周波数レイヤーと第二の周波数レイヤーとでそれぞれに割り当てられた測定ギャップにおいてインター周波数測定を実行するように構成されている。ここで、測定を「実行すること」は受信機回路５８と測定回路６４とをギャップ割り当てにしたがって制御することを含みうると理解されよう。
【００３１】
ワーキングの例として、第一の性能要件は第二の性能要件よりも厳しいものである。ここで、一つ以上の処理回路６０は、第二の周波数レイヤーと比較して第一の周波数レイヤーに関してより多くのインター周波数測定が実行されるように、第一の測定レートは第二の測定レートよりも高く設定される。この例を理解するために、いくつかの実施形態では第一および第二の性能要件は第一および第二の検出時間をそれぞれ定義し、あるいは、第一および第二の検出時間をそれぞれから導出可能な第一および第二のセル検出強度をそれぞれ定義していると考慮されてもよい。
【００３２】
いくつかの実施形態によれば、いくつかの事前に定義された性能要件は無線デバイス２２に知らされ、処理回路６０は、測定コンフィギュレーション情報によって搬送された一つ以上のインジケータに基づいて第一および第二の性能要件として使用される事前に定義された性能要件がどれであるかを決定するように構成される。たとえば、コンフィギュレーション情報７０は、所与のインジケータ値と、事前に定義された性能要件の個々の一つとをマッピングするマッピング情報を含む。したがって、測定コンフィギュレーション情報は事前に定義された性能要件に対してマッピングされるインジケータを搬送することに基づいて、より効率よく性能要件を搬送してもよい。さらに、インジケーションは、たとえば、測定コンフィギュレーション情報が異なるものを指示するまで、無線デバイス２２がデフォルトまたは公称の性能要件を所与の周波数レイヤーでのインター周波数測定に適用することを想定されていてもよい。
【００３３】
いくつかのケースによれば、処理回路６０は、対応する性能要件に比例して個々の周波数レイヤーに対して測定ギャップを割り当てるように構成される。たとえば、便宜上、「第一」と「第二」の周波数レイヤーとして呼ばれる二つの周波数レイヤーについて、処理回路６０は、第一の周波数レイヤーでインター周波数測定を実行するために、設定された複数の測定ギャップのうちで第一のパーセンテージの測定ギャップを割り当て、第二の周波数レイヤーでインター周波数測定を実行するために、当該設定された複数の測定ギャップのうちで第二のパーセンテージの測定ギャップを割り当てるように構成される。とりわけ、第一および第二のパーセンテージは第一および第二の測定レートに比例している。上述したように、第一の測定レートは、第一の周波数レイヤーでのインター周波数測定に適用される第一の性能要件にしたがって決定され、第二の測定レートは、第二の周波数レイヤーでのインター周波数測定に適用される第二の性能要件にしたがって決定される。
【００３４】
上述した説明における「設定された複数」の測定ギャップは、ネットワーク２０によって決定され、無線デバイス２２へシグナリングされたインター周波数測定コンフィギュレーションから定義されるか、把握されるものである。たとえば、ネットワーク２０は、４０ミリ秒または８０ミリ秒ごとに６ミリ秒のギャップにおいてインター周波数測定を実行するように無線デバイス２２を設定してもよく、したがって、いずれかの所与の時間のウインドウにわたる定義された数のそのようなギャップが存在し、利用可能なギャップの数はここでの教示にしたがって比例的に割り当てられてもよい。
【００３５】
一般的なケースでは、一つ以上の処理回路６０は、それぞれ第一および第二の周波数レイヤーに対応する第一および第二の性能要件を含むいくつかの異なる性能要件にしたがって、第一および第二の周波数レイヤーを含むいくつかの周波数レイヤーでインター周波数測定を実行するように構成される。この説明において、一つ以上の処理回路６０は、周波数レイヤーについてインジケータにより示されたかまたは把握された対応する性能要件に基づいて、各周波数レイヤーについて使用する測定レートを決定するように構成される。
【００３６】
もちろん、二つ以上の周波数レイヤーに対して同一の性能要件が適用されてもよく、一つ以上の実施形態において、一つ以上の処理回路６０は同一の性能要件を有する複数の周波数レイヤーに対して同一の測定レートを使用するように構成される。さらに、少なくとも一つの実施形態において、一つ以上の処理回路６０は、少なくとも一つの周波数値および無線アクセス技術（ＲＡＴ）によってインター周波数測定をグループ化するように構成される。この技術を使用すると、隣接または近接した周波数バンドにおける周波数レイヤーについてのインター周波数測定が一緒にグループ化され、同一のＲＡＴでの周波数レイヤーについてのインター周波数測定が一緒にグループ化される。
【００３７】
換言すれば、処理回路６０の一つ以上のコンフィギュレーションにおいて、無線デバイス２２は、隣接または連続して測定ギャップを使用して同一の周波数バンド内の周波数レイヤーまたは周波数を増加もしくは減少させることで順番にされた周波数レイヤーでインター周波数測定を実行し、これにより簡潔化または受信機の周波数調整をより効率化できる。追加的にまたは代替え的に、無線デバイス２２は、同一のＲＡＴ内の周波数レイヤーでインター周波数測定のために隣接または連続した測定ギャップを使用し、これはＲＡＴ間の切り替えや切り戻しを削減する。この観点では、上述した第一および第二の周波数レイヤーは異なるＲＡＴにあってもよいし、または同一のＲＡＴにあってもよい。無線デバイス２２がインター周波数測定を実行する所与の数の周波数レイヤーについて、すべての周波数レイヤーが同一のＲＡＴ上に存在してもよいし、または、これらが二つ以上のＲＡＴにまたがって存在していてもよい。
【００３８】
図５は、無線デバイス２２について意図されたインター周波数測定の制御および処理の一例を提供する方法５００を示している。特に断りがない限り、図示された処理ステップまたは動作は図示された順番で実行されることは必須ではなく、および／または、いくつかの動作は並列に実行されたり、バックグラウンドで実行されたり、もしくは、無線デバイス２２での全体の動作の一部として実行される。さらに、図示された方法５００は、繰り返されるか、または、継続的に実行されてもよいが、少なくとも周波数測定がアクティブ化されると実行される。
【００３９】
上述したことを考慮して、方法５００は、二つ以上の周波数レイヤーに関してインター周波数測定を実行するように仕向けられており、本方法は、無線通信ネットワーク２０におけるノードから測定コンフィギュレーション情報を受信すること（ブロック５０２）を含む。ノードは、たとえば、サービングｅＮｏｄｅＢ３２のような在圏基地局である。受信された測定コンフィギュレーション情報は第一の周波数レイヤー上でインター周波数測定を実行するための第一の性能要件を示し、かつ、第二の周波数レイヤー上でインター周波数測定を実行するための、異なる第二の性能要件を示している（ブロック５０２）。
【００４０】
同様に、本方法５００は、さらに、第一および第二の性能要件にそれぞれ基づいて第一および第二の測定レートを決定すること（ブロック５０４）を含む。測定レートは、対応する性能要件に依拠して即座に算出されるか、または所与の性能要件について使用される測定レートが事前に定義されており、それらから選択されてもよく、たとえば、デフォルトの測定レートはデフォルトの性能要件を適用し、より高い測定レートまたは測定オフセットがより厳しい性能要件に対して定義されている。いずれのケースでも、本方法５００は、第一および第二の測定レートに比例して、第一および第二の周波数レイヤー上でインター周波数測定を実行するためのそれぞれの測定ギャップを割り当てること（ブロック５０６）と、それぞれ割り当てられた測定ギャップにおいて第一および第二の周波数レイヤー上でインター周波数測定を実行すること（ブロック５０８）とを有する。
【００４１】
図６は例示的なネットワークノード８０を示し、たとえば、ネットワーク２０において動作するために構成されたノードであり、とりわけ、ネットワーク２０内で動作している一つ以上の無線デバイス２２に対して上述した測定コンフィギュレーション情報を提供するように構成されている。限定しない一例によれば、ノード８０は図３において紹介されたｅＮｏｄｅＢ３２の所与の一つとして理解可能である。しかし、より一般的には、ノード８０は、基地局、リレーノード、デバイスツーデバイス、Ｄ２Ｄ、通信における他の無線デバイス２２など、無線デバイス２２に対してリモートである、いずれかのノードであればよい。
【００４２】
ノード８０に含まれている通信インターフェース８２はシグナリングを送信したり、受信したりするように構成されており、「一つ以上の処理回路８４」または「処理回路８４」と呼ばれる処理および制御回路８４と動作可能に関連付けられている。ノード８０が無線通信ネットワーク２２において使用される基地局または他の無線ノードである例示的なケースでは、通信インターフェース８２は、無線周波数回路を含み、たとえば、シグナリングをブロードキャストしたり制御したり、共用チャネルおよび／または専用チャネル上でユーザトラフィックを送信したり受信したりする送信および受信回路の集合体を含む。より一般的には、そのようなケースにおいて、通信インターフェース８２は、無線デバイス２２をネットワーク２０に接続するために使用されるアップリンク／ダウンリンクエアインタフェースを実装するためのセルラー通信回路を含むものとして理解可能である。通信インターフェース８２はマルチキャリア／マルチ周波数無線回路を含んでもよい。
【００４３】
さらに、例示的な構成によれば、処理回路８４は、ここで説明するネットワーク側でのインター周波数測定処理設定および制御を実行するように構成された、測定設定回路８６を有している。処理回路８４は、さらに、不揮発性メモリやディスク記憶装置などのタイプの一つ以上のコンピュータ可読媒体を含むメモリ／記憶装置８８を含むか関連付けられていてもよく、また、ワーキングメモリも含んでもよい。いくつかの実施形態によれば、メモリ／記憶装置８８は、処理回路８４によって実行されると、ここでのネットワーク側の教示にしたがってノード８０を機能させるコンピュータプログラム９０を記憶している。例示的な実施形態によれば、処理回路８４は、ここでの教示にしたがってネットワーク側の処理を実行するように構成されたマイクロプロセッサ、マイクロコントローラ、ＤＳＰ，ＦＰＧＡ、ＡＳＩＣまたは他のデジタル処理回路の一つ以上を含み、たとえば、インター周波数測定を実行する際に一つ以上の無線デバイス２２によって使用される測定コンフィギュレーションを決定し、対応する測定コンフィギュレーションメッセージを生成して送信する。
【００４４】
さらに、いくつかの実施形態によれば、ネットワークノード８０は、ＬＴＥの内容においてインターｅＮｏｄｅＢ通信（ｅＮｏｄｅＢ間通信）を提供するために使用される「Ｘ２」インターフェースのような、追加の通信インターフェース９２を有し、および／または、ネットワーク２０におけるＣＮ２８における他のノードに対する一つ以上のインターフェースを有している。上述したように例示的な実施形態によれば、ネットワークノード８０は、ネットワーク２０において動作するように構成されており、通信インターフェース８２はターゲットとなる無線デバイス２２に対してシグナリングを送信するように構成されている。もちろん、二つ以上の無線デバイス２２がそのようなデバイスにおけるインター周波数測定を設定するために、ここで考慮されている処理やシグナリングに関して、ターゲットとされてもよい。
【００４５】
例示の説明を続けるが、一つ以上の処理回路８４は、通信インターフェース８２と動作可能に関連しており、第一の周波数レイヤーでインター周波数測定を実行するための第一の性能要件と、第二の周波数レイヤーでインター周波数測定を実行するための第二の性能要件とを決定するように構成されている。一つの例示によれば、性能要件を「決定すること」は性能要件を演算することを含む。他の例示によれば、性能要件を「決定すること」は二つ以上の事前に定義された性能要件のうちから選択するか、または、デフォルトもしくは公称の性能要件とは異なる性能要件を選択することを含む。
【００４６】
処理回路８４は、さらに、第一および第二の周波数レイヤーについての第一および第二の性能要件を示す測定コンフィギュレーション情報を生成し、無線通信ネットワークにおいて動作しているターゲットとなる無線デバイス２２に対して測定コンフィギュレーション情報を送信し、第一の周波数レイヤー上でインター周波数測定を実行するために第一の性能要件を使用し、第二の周波数レイヤー上でインター周波数測定を実行するために第二の性能要件を使用するように当該無線デバイス２２を設定するように構成される。
【００４７】
いくつかの実施形態によれば、一つ以上の処理回路８４は、第一の周波数レイヤーがカバレッジ関連のものと考えられる搬送波に関連付けられており、第二の周波数レイヤーがキャパシティ関連のものと考えられる搬送波に関連付けられていることに基づき、第一の周波数レイヤーについてより厳しい性能要件を設定または選択し、第二の周波数レイヤーについてより厳しくない性能要件を設定または選択するように構成されていることに基づいて、第一および第二の性能要件を決定するように構成される。ここで、カバレッジ関連の搬送波は地理的なカバレッジの感覚でサービスを提供することに関連づけられたものであり、キャパシティ関連の搬送波は、所与のカバレッジエリア内で追加のサービスのキャパシティを提供するために関連づけられたもの、および／または、所与のカバレッジエリア内でホットスポット、オーバレイ、または、より高速なレートのサービスを提供することを意図された搬送波である。限定しない例示によれば、カバレッジ関連の搬送波はターゲットとなる無線デバイス２０のハンドオーバの候補となる隣接セルの搬送波であってもよい。
【００４８】
少なくとも一つの実施形態によれば、一つ以上の処理回路８４は、たとえば、ターゲットとなる無線デバイス２０に対してコンフィギュレーションメッセージを送信することによって、インター周波数測定を実行するようターゲットとなる無線デバイス２０をトリガーするように構成される。さらに、少なくとも一つの実施形態によれば、処理回路８４は、ターゲットとなる無線デバイス２２に対して測定コンフィギュレーションメッセージを送信するように構成されていることに基づき、ターゲットとなる無線デバイス２２に対して測定コンフィギュレーション情報を送信するように構成され、ここで当該メッセージは第一および第二周波数レイヤーのそれぞれについての第一および第二の性能要件を示す一つ以上のインジケータを含む。
【００４９】
例示的なケースでは、測定コンフィギュレーション情報は、事前に定義された性能要件のいくつかに対する既知のマッピングを有する一つ以上のインジケータを搬送することによって第一および第二の性能要件を示してもよい。測定コンフィギュレーション情報は、さらに、第一および第二の周波数レイヤーを含み、ターゲットとなる無線デバイス２２がインター周波数測定を実行することになる周波数レイヤーをターゲットとなる無線デバイス２２に示し、そのような周波数レイヤーのそれぞれでインター周波数測定を実行するためにターゲットとなる無線デバイス２２によって使用される対応する性能要件を示してもよい。
【００５０】
図７は、図６において紹介したネットワークノード８０によって実行されうるような方法７００を示している。特に断りがない限り、処理のステップまたは動作は、図面に示唆されたものとは異なる順番で実行可能であり、同一のまたは異なる、ターゲット無線デバイス２２、個々のデバイスもしくはデバイスのグループについて一つ以上の動作が並列に実行されてもよい。さらに、いくつかの、またはすべての動作が繰り返し実行されてもよいし、必要に応じて実行されてもよく、また、ノート８０によって実行される他の処理の一部として実行されてもよい。
【００５１】
上述した説明を考慮すると、本方法７００は、第一の周波数レイヤー上でインター周波数測定を実行するための第一の性能要件と、第二の周波数レイヤー上でインター周波数測定を実行するための第二の性能要件とを決定すること（ブロック７０２）と、第一および第二の周波数レイヤーについての第一および第二の性能要件を示す測定コンフィギュレーション情報を生成すること（ブロック７０４）とを有する。本方法７００は、さらに、無線通信ネットワーク２０において動作しているターゲットとなる無線デバイス２２に、測定コンフィギュレーション情報を送信すること（ブロック７０６）を有し、これにより、無線デバイス２２が第一の周波数レイヤー上でインター周波数測定を実行するために第一の性能要件を使用し、第二の周波数レイヤー上でインター周波数測定を実行するために第二の性能要件を使用するように設定される。
【００５２】
上述した説明や関連する図面における例示的な実施形態によれば、無線デバイス２２は、異なる周波数搬送波またはレイヤー上で測定を実行するために測定ギャップを使用し、ここで、無線デバイス２２は、たとえば、通信装置５２など、無線通信ネットワーク２２に対して無線信号を送信し、無線通信ネットワーク２０から無線信号を受信するように構成された通信インターフェースを有し、さらに、通信インターフェース５２と関連して動作する一つ以上の処理回路６０を有する。例示的な実施形態における処理回路６０は、通信インターフェースを介して測定コンフィギュレーションメッセージを受信するように構成されており、ここで当該メッセージはそれぞれ異なる周波数搬送波もしくはレイヤーについてそれぞれ異なる性能要件を定義している。そのような回路は、測定コンフィギュレーションメッセージによって示された個々の性能要件にしたがって、それぞれ異なる搬送波周波数またはレイヤーについてそれぞれ異なる測定レートまたは他の測定コンフィギュレーションパラメータを決定するように構成される。
【００５３】
例示的なケースによれば、処理回路６０は、比較的に高い性能要件、つまり、より厳しい要件、を有している周波数レイヤーのそれぞれが、比較的に低い性能要件、つまり、より厳しくない要件、を有している搬送波もしくはレイヤーのそれぞれよりも、高い測定レートを有することとなるように、それぞ異なる性能要件に依拠してそれぞれ異なる周波数搬送波またはレイヤー上で測定を実行するための測定ギャップ割り当てを決定する。たとえば、より高い性能要件を有する周波数レイヤーは、相対的に低い性能要件を有する周波数レイヤーの個々の一つ一つよりも、多くの測定ギャップを割り当てられる。処理回路６０は、さらに、測定ギャップの割り当てにしたがって、それぞれ異なる周波数レイヤー上で、測定するか、または少なくとも測定を制御するように構成される。
【００５４】
一つ以上の実施形態によれば、測定コンフィギュレーションメッセージは、それぞれ異なる周波数レイヤーの個々の一つ一つについて搬送波のタイプまたは優先度を示し、一つ以上の処理回路６０は、示された搬送波のタイプまたは優先度を事前に定義された性能要件に対してマッピングし、これに応じて測定ギャップを割り当てるように構成される。少なくとも一つの実施形態によれば、測定コンフィギュレーションメッセージは、信号検出のレベルまたは必要とされる検出時間の観点からそれぞれ異なる搬送波周波数またはレイヤーの個々の一つ一つについて性能要件を示し、デバイスは、一般に、より低い信号検出レベルまたはより少ない必要な検出時間を有するこれらの搬送波周波数またはレイヤーに対してより多くの測定ギャップを割り当てる。
【００５５】
このインジケーションはまた周波数レイヤーについてのタイプインジケータを搬送する。たとえば、所与の周波数レイヤーはカバレッジタイプのレイヤーであってもよく、他の周波数レイヤーはキャパシティタイプのレイヤーであってもよい。したがって、メッセージは、所与の周波数レイヤーのタイプを示してもよく、デバイスは、示されたタイプを当該タイプについて定義されている性能要件に対してマッピングするように構成されていてもよい。したがって、測定コンフィギュレーションメッセージは、たとえば、第一の周波数レイヤーについて「タイプ１」を示し、他の周波数レイヤーについて「タイプ２」を示してもよく、デバイスは、タイプ１のレイヤーについての性能要件を−４ｄＢまたはＴｂａｓｅ＝ｘと認識し、タイプ２のレイヤーについての性能要件を０ｄＢまたはＴｂａｓｅ＝ｙと認識するように構成されてもよい。
【００５６】
いずれのケースにおいても、例示的なネットワークノード８０は、無線通信ネットワーク２０において動作するように構成され、無線通信ネットワーク２０において動作している無線デバイス２２から信号を受信したり、送信したりするように構成された通信インターフェース８２と、通信インターフェース８２と関連して動作する一つ以上の処理回路８４とを有する。処理回路８４は、それぞれ異なる周波数レイヤーに対する無線デバイスの測定ギャップの割り当てを制御するなど、それぞれ異なる周波数レイヤーについてデバイス２２によって使用される測定レートを制御するために、いくつかの異なる搬送波周波数またはレイヤーのうちの個々の一つ一つについて無線デバイス２２に対するそれぞれ異なる性能要件を決定するように構成されている。処理回路８４は、さらに、それぞれ異なる性能要件を示す測定コンフィギュレーションメッセージを無線デバイス２２に対して生成し、無線デバイス２２に測定コンフィギュレーションメッセージを送信するように構成されている。
【００５７】
上述した教示についてのさらに詳しい例示によれば、３ＧＰＰ技術規格のリリース１１が新しいインター周波数セルの信号強度が所定レベルよりも一度強くなると（Ｅｓ／ｌｏｔ＞−４ｄＢ）、無線デバイスが当該セルを検出すべき時間に関する要件を定義していることが考慮される。当該時間は以下のように定義され、
ＴＩｄｅｎｔｉｆｙ＿Ｉｎｔｅｒ  ＝  ＴＢａｓｉｃ＿Ｉｄｅｎｔｉｆｙ＿Ｉｎｔｅｒ  ＊  （４８０  ／  ＴＩｎｔｅｒ１）  ＊  Ｎｆｅｒｑ  ナノ秒
ここでＴＢａｓｉｃ＿Ｉｄｅｎｔｉｆｙ＿Ｉｎｔｅｒは４８０ミリ秒であり、ＴＩｎｔｅｒ１は６０ミリ秒または３０ミリ秒であり、これらはそれぞれインター周波数ギャップ距離として４０ミリ秒が適用されるのか、８０ミリ秒が適用されるのかに依存する。さらに、Ｎｆｅｒｑは無線デバイスが監視する必要がある周波数レイヤーの総数である。ゆえに、４０ミリ秒のギャップ期間が適用されると仮定すると、検出時間は３．８４＊Ｎｆｒｅｑ秒となり、これはすべてのセルについてＥｓ／ｌｏｔ＞−４ｄＢに維持するものであり、ここでＥｓ／ｌｏｔは信号対干渉雑音比（ＳＩＮＲ）を示している。
【００５８】
しかし、セル検出時間は、図８に一例として示したように、ＳＩＮＲに重く依存しており、図８ではＳＩＮＲの関数としてセル検出時間がプロットされており、単位はｄＢである。当該図面において、Ｔ＿ｂとＴ＿ｂ／２は、たとえば、それぞれ異なるシナリオにおいて９０％の確率など、所定の確率での検出時間を示している。とりわけ、現時点での３ＧＰＰ規格における−４ｄＢの要件は、インター周波数測定がカバレッジ問題に着目するために必要とされるだけの仮定から決定されている。しかし、キャパシティについて複数の周波数レイヤーを使用するネットワーク展開において、たとえば、セル検出強度閾値であるＳＩＮＲ＝０ｄＢは、十分なものであるかもしれないが、そのようなケースでのセル検出時間は半減されるか、さらに削減されうるだろう。
【００５９】
ゆえに、ここでの教示の一つの観点は、たとえば、ＳＩＮＲが０ｄＢであるよりも強いセルを検出するための要件に対して、新しいセル検出要件を必要とする。そのようなケースにおいて、ＴＢａｓｉｃ＿Ｉｄｅｎｔｉｆｙ＿Ｉｎｔｅｒは２４０ミリ秒であってもよい。もちろん、そのような値は単に一例を提供するものであり、他のまたは追加の要件が性能要件として利用可能である。この感覚にしたがって、ネットワークノード８０は、それぞれ異なる検出要件に対してそれぞれ異なる周波数レイヤーを設定するだろう。図８に示した一例によれば、第一の周波数レイヤー、ｆ１、は標準的なまたはデフォルトの要件である−４ｄＢに設定され、第二および第三の周波数レイヤー、ｆ２およびｆ３は、新しい０ｄＢの要件に設定されてもよい。同様に、意図された無線デバイス２２はこれらの例示的なレイヤーとそれに対応する性能要件とに基づいて、当該レイヤーについての対応する要件にしたがって測定ギャップを割り当てるだろう。たとえば、無線デバイス２２は、設定された測定ギャップの５０％をｆ１に対して割り当て、測定ギャップの２５％をｆ２に対して割り当て、残りの２５％をｆ３に対して割り当てる。個々の測定レート、つまり、単位時間あたりに割り当てられる測定ギャップの数は、様々なレイヤーについて異なりうる。この例では、ｆ１の測定レートがｆ２およびｆ３の測定レートの２倍であり、これはｆ１に関連する検出要件がより厳しいことを反映している。
【００６０】
このシナリオは図９によく示されている。搬送波周波数ｆ１は第一の周波数レイヤーであり、その性能要件はリリース１１のセル信号検出強度である−４ｄＢに基づいており、セル検出時間要件であるＴＢａｓｉｃ＿Ｉｄｅｎｔｉｆｙ＿Ｉｎｔｅｒは４８０ミリ秒である。搬送波周波数ｆ２は第二の周波数レイヤーであり、その性能要件はセル信号検出強度である０ｄＢに基づいており、セル検出時間要件であるＴＢａｓｉｃ＿Ｉｄｅｎｔｉｆｙ＿Ｉｎｔｅｒは２４０ミリ秒である。０ｄＢという同一の値が第３の搬送波周波数ｆ３について使用されるが、これは無線デバイス２２がインター周波数測定を実行することになる第三の周波数レイヤーである。同様に、ｆ３についてのセル検出時間要件はまた２４０ミリ秒である。
【００６１】
無線デバイス２２は、ｆ１上で測定を実行するために測定ギャップの５０％を割り当て、ｆ２上で測定を実行するために測定ギャップの２５％を割り当て、ｆ３上で測定を実行するために測定ギャップの残りの２５％を割り当てる。利点があることに、無線デバイス２２は、同時にｆ１、ｆ２、ｆ３といった三つの周波数をモニターし、二つの周波数の両方に標準的なセル検出時間を使用してこの二つの周波数を監視できる。また、一つ以上の実施形態において、カバレッジ問題に関連したインター周波数測定は、一般にキャパシティ問題に関連したインター周波数測定よりも、大きな測定ギャップの割り当てを受け取ることになろう。
【００６２】
図１０は無線デバイス２２における処理の他の実施形態を示すフローチャートである。図１０に示された本方法１０００はしたがって図５において紹介された方法５００の拡張または改良版として理解可能である。
【００６３】
本方法１０００にしたがって、無線デバイス２２は、無線通信ネットワーク２０における在圏セルに接続し、たとえば、無線デバイス２２による信号強度の測定またはネットワーク２０によって自律的に、インター周波数測定がトリガーされる（ブロック１００２）。無線デバイス２２は、Ｎ個のレイヤーで測定を実行する旨とともに個々のレイヤーに対応した測定要件を含む測定コンフィギュレーションメッセージをネットワーク２０から受信する（ブロック１００４）。たとえば、無線デバイス２２は、要件のマトリクス（ｆ＿ｉ，ｒ＿ｉ）を受信してもよく、ここでｉ＝１，．．．．，Ｎであり、ｆ＿ｉは搬送波周波数に対応し、ｒ＿ｉは要件に対応する。要件はＴ＿Ｂａｓｉｃ＿Ｉｄｅｎｔｉｆｙ＿Ｉｎｔｅｒの値に応じて定義されてもよい。他の例によれば、要件は二つの値（１，２）のパラメータであってもよく、ここで１はリリース１１の要件を示し、２は異なる要件を示す。なお、受信された情報が、個々の周波数レイヤーを示すとともに、関与するＲＡＴを示してもよい。
【００６４】
無線デバイス２２は、対応する要件にしたがって周波数レイヤーの個々の一つ一つに測定ギャップを割り当てる（ブロック１００６）。たとえば、Ｎ個の周波数レイヤーについて、レイヤーに割り当てられるギャップの数ｉは
割り当てられるギャップの比＝ｒ＿ｉ／（ｒ＿１＋ｒ＿２＋．．．ｒ＿Ｎ）
に比例する。
【００６５】
無線デバイス２２は割り当てられたギャップにおいて個々のレイヤー上でギャップ測定を実行する（ブロック１００８）。この割り当てはラウンドロビンタイプのものであってもよいが、他のアプローチが使用されてもよい。長期間にわたり、所与の周波数レイヤーに対して割り当てられるギャップの数は、対応する要件にしたがうことが意図されており、それゆえに本方法は無線デバイス２２がレイヤー１にギャップの第一の部分を割り当て、レイヤー２に次の部分を割り当てるなどのケースもカバーしている。
【００６６】
ここでの教示に伴う様々な利点のうちで、一つ以上の他のレイヤーよりも相対的に厳しくない性能要件を有する一つ以上のレイヤーに関する限りにおいて、所与の数の周波数レイヤーにおけるインター周波数測定は他の可能なものよりも速く実行される。他の観点からは、ここでの教示にしたがって動作する無線デバイス２２は、より厳しくない性能要件を有するレイヤー上ではより少ない測定を実行することによって、所与の時間のウインドウ内でより多くのレイヤー上でインター周波数測定を実行できる。これらの動作はより高速なハンドオーバを提供し、および／または、インター周波数測定を実行するのに消費する時間をより少なくすることを可能とする。
【００６７】
そのようなものとして、ここでの教示にしたがって構成された無線デバイスは、インター周波数測定を通じて、複数の搬送波のうちでベストな搬送波をより高速に検出できるようになり、これと同時に、無線デバイスが測定すべき搬送波の数を制限し、これにより、当該デバイスに課される測定の義務が軽減される。そのような技術は、ネットワークオペレータがある場所においていくつかの搬送波を使用し、これらのうちのいくつかの搬送波がマクロセルに割り当てられ、他の搬送波がホットスポット、たとえば、ピコセルまたはフェムトセルなどに割り当てられるような展開シナリオにおいて特定の利点を提供しうる。
【００６８】
とりわけ、上述の説明や添付の図面に示された教示の利益を有した当業者であれば、ここに開示されたものの変形例や他の実施形態を理解するであろう。したがって、本発明は、開示された特定の実施形態に限定されることはなく、変形例や他の実施形態についても本開示の範囲に含まれることが意図されている。ここでは特定の用語が使用されたものの、一般的で説明的なセンスでもって使用されており、限定の目的では使用されていない。
【００６９】
＜関連出願＞
本願は、引用によりここに取り込まれる出願である、２０１３年８月１６日に出願され、出願番号６１／８６６，６７５を割り当てられた米国仮出願からの優先権を主張する。
【図１】
0006279735.tif 000002
【図２】
0006279735.tif 000003
【図３】
0006279735.tif 000004
【図４】
0006279735.tif 000005
【図５】
0006279735.tif 000006
【図６】
0006279735.tif 000007
【図７】
0006279735.tif 000008
【図８】
0006279735.tif 000009
【図９】
0006279735.tif 000010
【図１０】
0006279735.tif 000011